(57)【要約】【課題】異常品が有する異常の内容を作業者等が特定することを容易にする。【課題を解決するための手段】  物品を検査する検査装置は、物品が正常品であるか異常品であるかを検査する検査機１１０と、検査機１１０によって異常品として判定された物品に対して異常の内容を特定するための情報をプリントするプリンタ１２０とを備える。【選択図】図１
2009057094.tif 000002
【特許請求の範囲】
【請求項１】
物品を検査する検査装置であって、
物品が正常品であるか異常品であるかを検査する検査機と、
前記検査機によって異常品として判定された物品に対して異常の内容を特定するための情報をプリントするプリンタと、
を備えることを特徴とする検査装置。
【請求項２】
前記検査機によって異常品として判定された物品を排斥する排斥機を更に備えることを特徴とする請求項１に記載の検査装置。
【請求項３】
前記物品は、飲料が充填された容器であり、
前記検査機は、前記容器に充填された飲料の量が適正範囲であるかどうかを検査する、
ことを特徴とする請求項１ないし３のいずれか１項に記載の検査装置。
【請求項４】
複数の処理装置を含む処理設備であって、
前記複数の処理装置に対してそれぞれ割り当てられた複数の検査装置を備え、各検査装置が、
物品が正常品であるか異常品であるかを検査する検査機と、
前記検査機によって異常品として判定された物品に対して異常の内容を特定するための情報をプリントするプリンタと、
を備えることを特徴とする処理設備。
【発明の詳細な説明】
【技術分野】
【０００１】
本発明は、物品を処理する処理装置に関する。
【背景技術】
【０００２】
ビールや発泡酒等の飲料が容器に充填されてなる飲料製品を製造する工場では、容器に対する飲料の充填、該容器の封止（例えば、蓋（缶蓋）の巻き締め、蓋（栓）の打栓など）の包装など、様々な処理がなされうる。各処理を行う処理装置の出口側には、検査装置が配置されうる。例えば、容器に飲料を充填する充填装置の出口側には、容器への飲料の充填量を検査する検査装置が配置されうる。検査装置は、検査機と、該検査機によって異常品であると判定された容器または容器包装体を排斥する排斥機とを含みうる。
【特許文献１】特開２００５−１１９６８８号公報
【発明の開示】
【発明が解決しようとする課題】
【０００３】
従来の設備では、排斥機は、異常品であると判定された物品を単に排斥ラインに排斥するだけであった。よって、従来は、排斥ラインに排斥された物品がどのような異常を有するかを見極めることが難しかった。したがって、例えば、複数の処理装置を備える処理設備において、異常品がどの処理装置において処理された際にどのような異常が発見されたために異常品と判定されたのかを特定することが困難であった。
【０００４】
本発明は、上記の課題認識に基づいてなされたものであり、例えば、異常品が有する異常の内容を作業者等が特定することを容易にすることを目的とする。
【課題を解決するための手段】
【０００５】
本発明の第１の側面は、物品を検査する検査装置に係り、前記検査装置が、物品が正常品であるか異常品であるかを検査する検査機と、前記検査機によって異常品として判定された物品に対して異常の内容を特定するための情報をプリントするプリンタとを備える。
【０００６】
本発明の好適な実施形態によれば、前記検査装置は、前記検査機によって異常品として判定された物品を排斥する排斥機を更に備えうる。
本発明の好適な実施形態によれば、前記物品は、飲料が充填された容器であり、前記検査機は、前記容器に充填された飲料の量が適正範囲であるかどうかを検査する。
【０００７】
本発明の第２の側面は、物品を処理する複数の処理装置を含む処理設備に係り、前記処理設備は、前記複数の処理装置に対してそれぞれ割り当てられた複数の検査装置を備え、各検査装置が、物品が正常品であるか異常品であるかを検査する検査機と、前記検査機によって異常品として判定された物品に対して異常の内容を特定するための情報をプリントするプリンタとを備える。
【発明の効果】
【０００８】
本発明によれば、例えば、異常品が有する異常の内容を作業者等が特定することが容易になる。
【発明を実施するための最良の形態】
【０００９】
以下、添付図面を参照しながら本発明の好適な実施形態を説明する。
【００１０】
図１は、本発明の好適な実施形態の処理設備を模式的に示す図である。本発明の好適な実施形態の処理設備１００は、例えば、ビール等のアルコール飲料や清涼飲料等のノンアルコール飲料などの飲料を容器に充填してなる飲料製品を製造するように構成されうる。処理設備１００は、例えば、複数の処理装置として、充填機１０、封止機（例えば、巻き締め機、打栓機）３０、包装機（例えば、ケーサー）５０などを含む。
【００１１】
処理設備１００は、充填機１０から排出された容器（飲料が充填された容器）を検査する検査装置２０、封止機３０から排出された容器（飲料の充填後に蓋が付された容器）を検査する検査装置４０、および、包装機５０から排出された包装体（１又は複数の容器を包装したもの）を検査する検査装置６０を備える。
【００１２】
検査装置２０は、例えば、充填機１０による容器への液体の充填量を検査しうる。検査装置４０は、例えば、入味検査機および／または外観検査機を含み、蓋が付された容器の入味（液体の量）および／または容器の外観を検査しうる。検査装置６０は、例えば、包装体の重量等を測定することによって容器の入味（飲料の充填量）を確認的に検査しうる。
【００１３】
図２は、検査装置４０の構成例を示す図である。検査装置４０は、検査対象の物品としての飲料入り封止済み容器を検査するように構成されている。検査装置４０は、飲料入り封止済み容器が正常品であるか異常品であるかを検査する検査機１１０と、検査機１１０によって異常品として判定された飲料入り封止済み容器に対して異常の内容を特定するための情報をプリントするプリンタ１２０とを備える。ここで、検査機１１０は、例えば、飲料入り封止済み容器の入味（飲料の充填量）が適正範囲に対してどのようにずれているのかを特定するためのエラー情報ＥＣを生成してプリンタ１２０に送信する。エラー情報ＥＣは、例えば、異常と判定した理由、および／または、異常の程度を示す情報を含みうる。より具体的には、エラー情報ＥＣは、例えば、入味の計測値または計測値をコード化したコード情報、入味と適正値との差分を示す差分情報または差分情報をコード化した情報、などが好適である。
【００１４】
プリンタ１２０は、検査機１１０から提供されるエラー情報ＥＣを視覚化した情報、即ち、異常の内容を特定するための情報を対応する飲料入り封止済み容器にプリントする。
【００１５】
ここで、検査機１１０から出力されるエラー情報は、検査の合否のみを示す信号であってもよく、この場合には、プリンタ１２０によって飲料入り封止済み容器にプリントされる異常の内容を特定するための情報は、検査機１１０またはプリンタ１２０の識別情報とされうる。この場合においても、作業者等が検査装置４０を特定することができるので、作業者等が異常の内容も大雑把に特定することができる。これは、特に複数の検査装置によって検査される物品を外観上区別することが難しい場合において、該物品が異常品であると判定した検査機を特定する上で意義がある。例えば、封止機３０と包装機５０との間に、互いに異なる検査をする２以上の検査装置が配置されている場合において、各検査装置に固有の識別情報を各検査装置のプリンタが物品にプリントすることによって当該物品が異常品であると判定された原因を大雑把に特定することができる。
検査装置４０は、典型的には、検査機１１０によって異常品として判定された飲料入り封止済み容器を正常品ライン１４０から排斥ライン１５０に排斥する排斥機１３０を更に備える。排斥機１３０は、検査機１１０から提供される排斥信号ＲＥＪにしたがって、異常品として判定された飲料入り封止済み容器を排斥ライン１５０に排斥する。なお、排斥機１３０は、典型的には、検査機１１０の筐体の外側に配置されうる。
なお、検査装置２０および検査装置６０についても、検査機１１０による検査の内容およびプリンタによってプリントする内容を除いて、検査装置４０の同様の構成を有しうる。
【図面の簡単な説明】
【００１６】
【図１】本発明の好適な実施形態の処理設備を模式的に示す図である。
【図２】検査装置の構成例を示す図である。
【符号の説明】
【００１７】
１２０  プリンタ
１３０  排斥機
１４０  正常品ライン
１５０  異常品ライン
ＥＣ  エラー信号
ＲＥＪ  排斥信号
【図１】
2009057094.tif 000003
【図２】
2009057094.tif 000004